(57)【特許請求の範囲】
【請求項１】
胴回り開口と、１対の脚回り開口と、着用時に着用者の脚部に沿って下方に延びて脚回り開口を形成する下方延出脚部とを有する使い捨てオムツであって、
使い捨てオムツの展開時において、縦方向と、前記縦方向に直交する横断方向と、前記縦方向に離間する前側領域及び後側領域と、これらの領域の間に位置する股領域とを含み、
前記縦方向に沿ってそれぞれ延びると共に自由端及び固定端と、対応する前記自由端を含む自由端部とをそれぞれ有する１対の防漏壁と、それぞれの防漏壁の横断方向の外側に位置すると共に伸長性を有する１対の脚回りシートとを備え、
前記防漏壁がそれぞれ、その自由端部に伸長状態で取り付けられた前記縦方向に延びる弾性部材である自由端部弾性部材を備え、
各前記脚回りシートの一方の前記縦方向の端部が前記前側領域に位置する前記使い捨てオムツの構成要素に接合され、
各前記脚回りシートの他方の前記縦方向の端部が前記後側領域に位置する前記使い捨てオムツの構成要素に接合され、
各前記脚回りシートの前記横断方向の内側の側縁部が前記防漏壁の前記自由端と前記固定端との間に接合され、
接合時の各前記脚回りシートが非伸長状態である、
使い捨てオムツ。
【請求項２】
前記前側領域及び前記後側領域の前記縦方向の内側の端領域には縦方向内縁部がそれぞれ設けられており、
各前記脚回りシートの一方の前記縦方向の端部が前記前側領域の前記縦方向内縁部に接合され、
各前記脚回りシートの他方の前記縦方向の端部が前記後側領域の前記縦方向内縁部に接合される、
請求項１に記載の使い捨てオムツ。
【請求項３】
前記防漏壁がそれぞれ、前記防漏壁の前記自由端部弾性部材と前記固定端との間に位置する中間部分に伸長状態で取り付けられた前記縦方向に沿って延びる弾性部材である中間位置弾性部材を含み、かつ前記横断方向の内側に面する内面と、前記横断方向の外側に面する外面とを有し、
前記脚回りシートと前記防漏壁の前記外面との接合部分が前記中間位置弾性部材に重なるように配置される、
請求項１又は２に記載の使い捨てオムツ。
【請求項４】
さらに、前記横断方向の中間位置を前記縦方向に前記前側領域から前記股領域を通って前記後側領域に延びる吸収要素と、前記縦方向に延びる１対の弾性部材である股下弾性部材とを備え、
前記吸収要素が着用者側の表面とその反対側の裏面を有し、かつ吸収体を内部に含み、
前記股下弾性部材は、前記吸収要素の両側に伸長状態で、前記吸収要素の表面よりも裏面に近い位置であって、前記吸収体のそれぞれの側部から前記横断方向の外側又は前記横断方向の内側に１０ｍｍ以内の位置に配置される、
請求項１〜３のいずれか１項に記載の使い捨てオムツ。
【請求項５】
前記股下弾性部材を取り付けた使い捨てオムツの部分の前記縦方向の収縮率が、前記自由端部弾性部材を取り付けた前記防漏壁の前記自由端部の前記縦方向の収縮率以下である、
請求項４に記載の使い捨てオムツ。
【請求項６】
使い捨てオムツの展開時において、前記防漏壁の前記自由端部弾性部材と前記固定端との間に位置する中間部分を前記縦方向に延びる折り曲げ線に沿って前記横断方向の外向きに前記防漏壁を折り返して、互いに重なり合う防漏壁部分の少なくとも一部を互いに接合する、
請求項１〜５のいずれか１項に記載の使い捨てオムツ。
【請求項７】
前記自由端部弾性部材が１又は複数の弾性部材を含み、
前記脚回りシートと前記防漏壁との接合部分が、前記自由端部弾性部材のうちの、その防漏壁を構成するシートの先端に最も近い弾性部材と重ならない、
請求項１〜６のいずれか１項に記載の使い捨てオムツ。
【請求項８】
前記防漏壁がそれぞれ、前記横断方向の内側に面する内面と、前記横断方向の外側に面する外面とを有し、
各前記脚回りシートの前記横断方向の内側の側縁部が、前記防漏壁の前記外面に接合されている、
請求項１〜７のいずれか１項に記載の使い捨てオムツ。
【請求項９】
前記脚回りシートが伸縮性を有する、
請求項１〜８のいずれか１項に記載の使い捨てオムツ。
【請求項１０】
前記横断方向の中間位置を前記縦方向に前記前側領域から前記股領域を通って前記後側領域に延びる吸収要素を含み、
前記防漏壁が前記吸収要素の両側部から延出して、前記横断方向の内側に折り返されている、
請求項１〜９のいずれか１項に記載の使い捨てオムツ。
【発明の詳細な説明】
【技術分野】
【０００１】
本発明は、使い捨てオムツに関する。
【背景技術】
【０００２】
着用者の腹側に位置する腹側部と、着用者の背側に位置する背側部と、前記腹側部と前記背側部の間であって着用者の股下に位置する股下部と、前記腹側部と前記背側部との間であって前記股下部の幅方向両側方に着用者の脚周りに位置する二箇所の脚周り部とを形成するオムツ本体部とを備える使い捨てオムツにおいて、前記オムツ本体部は、前記腹側部側の一方の脚周り部から、前記腹側部側の他方の脚周り部に亘って、前記股下部において弾性部材を備える使い捨てオムツが公知である（特許文献１）。
【０００３】
このようにすると、使い捨てオムツの脚周り部に配置された弾性部材によって、使い捨てオムツが、着用者の脚部に固定されることにより、着用者の脚の動きに容易に追従することとなって好適に密着し、尿などの体液の漏れを好適に防止するとともに、快適な装着感をもたらすことができる。
【先行技術文献】
【特許文献】
【０００４】
【特許文献１】特開２００６−２３０９２０号公報
【発明の概要】
【発明が解決しようとする課題】
【０００５】
しかしながら、このような使い捨てオムツには、前記脚周り部に位置する弾性部材が配置されており、これらの弾性部材が収縮する作用によって、そのようなオムツを着用しようとするときに着用者の脚を通す向きが鉛直方向下向きよりも横方向外向きに傾いてしまい、着用者の脚部をこの脚周り開口に通すときに脚周り開口の縁部に脚が引っかかり易く、脚を通しづらいという問題があった。
【課題を解決するための手段】
【０００６】
上記課題を解決するために、本発明によれば、
胴回り開口と、１対の脚回り開口と、着用時に着用者の脚部に沿って下方に延びて脚回り開口を形成する下方延出脚部とを有する使い捨てオムツであって、
使い捨てオムツの展開時において、縦方向と、前記縦方向に直交する横断方向と、前記縦方向に離間する前側領域及び後側領域と、これらの領域の間に位置する股領域とを含み、
前記縦方向に沿ってそれぞれ延びると共に自由端及び固定端と、対応する前記自由端を含む自由端部とをそれぞれ有する１対の防漏壁と、それぞれの防漏壁の横断方向の外側に位置すると共に伸長性を有する１対の脚回りシートとを備え、
前記防漏壁がそれぞれ、その自由端部に伸長状態で取り付けられた前記縦方向に延びる弾性部材である自由端部弾性部材を備え、
各前記脚回りシートの一方の前記縦方向の端部が前記前側領域に位置する前記使い捨てオムツの構成要素に接合され、
各前記脚回りシートの他方の前記縦方向の端部が前記後側領域に位置する前記使い捨てオムツの構成要素に接合され、
各前記脚回りシートの前記横断方向の内側の側縁部が前記防漏壁の前記自由端と前記固定端との間に接合され、
接合時の各前記脚回りシートが非伸長状態である、
使い捨てオムツが提供される。
【０００７】
さらに、前記前側領域及び前記後側領域の前記縦方向の内側の端領域には縦方向内縁部がそれぞれ設けられており、各前記脚回りシートの一方の前記縦方向の端部が前記前側領域の前記縦方向内縁部に接合され、各前記脚回りシートの他方の前記縦方向の端部が前記後側領域の前記縦方向内縁部に接合されると好ましい。
【０００８】
さらに、前記防漏壁がそれぞれ、前記防漏壁の前記自由端部弾性部材と前記固定端との間に位置する中間部分に伸長状態で取り付けられた前記縦方向に沿って延びる弾性部材である中間位置弾性部材を含み、かつ前記横断方向の内側に面する内面と、前記横断方向の外側に面する外面とを有し、前記脚回りシートと前記防漏壁の前記外面との接合部分が前記中間位置弾性部材に重なるように配置されると好ましい。防漏壁が起立する作用により、防漏壁に接合する脚回りシート部分が持ち上げられ、従来のオムツでは着用者の横方向を向いていた下方延出脚部が、脚回りシート部分に引っ張られて脚回りシートの全体が着用者の股間部分に引き寄せられることになり、防漏壁に沿って下方延出脚部が下方を向くことになるからである。
【０００９】
さらに、使い捨てオムツが、前記横断方向の中間位置を前記縦方向に前記前側領域から前記股領域を通って前記後側領域に延びる吸収要素と、前記縦方向に延びる１対の弾性部材である股下弾性部材とを備え、前記吸収要素が着用者側の表面とその反対側の裏面を有し、かつ吸収体を内部に含み、前記股下弾性部材は、前記吸収要素の両側に伸長状態で、前記吸収要素の表面よりも裏面に近い位置であって、前記吸収体のそれぞれの側部から前記横断方向の外側又は前記横断方向の内側に１０ｍｍ以内の位置に配置されると好ましい。股下弾性部材により、その収縮する力によって、吸収体が液体を吸収して重量を増したときに、吸収要素がその重量によって着用者の股下部分から垂れ下がることを防止して、体液がオムツから漏れ出ることを防ぐことができるからである。
【００１０】
さらに、前記股下弾性部材を取り付けた使い捨てオムツの部分の前記縦方向の収縮率が、前記自由端部弾性部材を取り付けた前記防漏壁の前記自由端部の前記縦方向の収縮率以下であると好ましい。所望の形状のポケットを形成することができるからである。
【００１１】
さらに、使い捨てオムツの展開時において、前記防漏壁の前記自由端部弾性部材と前記固定端との間に位置する中間部分を前記縦方向に延びる折り曲げ線に沿って前記横断方向の外向きに前記防漏壁を折り返して、互いに重なり合う防漏壁部分の少なくとも一部を互いに接合すると好ましい。防漏壁の自由端同士が近接することを防ぐことができるからである。
【００１２】
さらに、前記自由端部弾性部材が１又は複数の弾性部材を含み、前記脚回りシートと前記防漏壁との接合部分が、前記自由端部弾性部材のうちの、その防漏壁を構成するシートの先端に最も近い弾性部材と重ならないと好ましい。防漏壁が起立する作用を脚回りシートが阻害することを防ぐことができるからである。
【００１３】
さらに、前記防漏壁がそれぞれ、前記横断方向の内側に面する内面と、前記横断方向の外側に面する外面とを有し、各前記脚回りシートの前記横断方向の内側の側縁部が、前記防漏壁の前記外面に接合されていると好ましい。
【００１４】
さらに、前記脚回りシートが伸縮性を有すると好ましい。脚回りシートが着用者の脚部に密着して、着用者の脚部と脚回りシートとの間から体液を漏れにくくするからである。
【００１５】
前記横断方向の中間位置を前記縦方向に前記前側領域から前記股領域を通って前記後側領域に延びる吸収要素を含み、前記防漏壁が前記吸収要素の両側部から延出して、前記横断方向の内側に折り返されていると好ましい。この構造により体液を漏れにくくすることができるからである。
【発明の効果】
【００１６】
本発明により、着用者がオムツを着用しようとするときに、脚回り開口が着用者の脚部を通す方向に向き、かつ脚回り開口を狭窄させないので、着用者が脚をこの脚周り開口に通すときに脚周り開口縁部に脚が引っかかりにくく、脚を通し易い使い捨てオムツを提供することができる。
【図面の簡単な説明】
【００１７】
【図１】本発明の実施形態のオムツの着用時の正面俯瞰図。
【図２】図１のオムツの展開時の平面図。
【図３】図２のＩＩＩ−ＩＩＩ線に沿った、実施形態のオムツの断面図。
【図４】着用者が本発明の実施形態のオムツを履こうとするときのオムツの股領域の横断方向断面図。
【図５】防漏壁の変形例を示す、図３に類似する断面図。
【図６】防漏壁の変形例を示す、図５に類似する断面図。
【図７】防漏壁の変形例を示す、図６に類似する断面図。
【図８】防漏壁の変形例を示す、図５に類似する断面図。
【図９】防漏壁の変形例を示す、図７に類似する断面図。
【発明を実施するための形態】
【００１８】
本発明は上述の図面を参照しつつより詳細に記載される。なお、図面は、本発明の理解を容易にすると共に図面の記載を簡略化するために実際の構成要素の大きさ、厚さ、数、縮尺、形状と同一に描かれていない場合があることに留意されたい。
【００１９】
本発明において、「縦方向の内側」とは、一例として図２に示されているオムツの展開時の平面図において、オムツ１の縦方向及び横断方向の中央の箇所、すなわちオムツ１の中心を通過する横断方向に延びる仮想横断方向軸線ＴＡに縦方向に向かう方向をいい、「縦方向の外側」とはその逆方向をいうものとする。さらに、「横断方向の内側」とは、同様に吸収要素１３の中心を通過する縦方向に延びる仮想縦方向軸線ＬＡに横断方向に向かう方向をいい、「横断方向の外側」とはその逆方向をいうものとする。
【００２０】
本発明の使い捨てオムツは、いわゆるパンツ型オムツのオムツを基本構造として、さらに下方延出脚部を有するものである。このようなタイプの使い捨てオムツは、日本では「ボクサータイプ」と呼ばれるものである。
【００２１】
（実施形態）
図１は、１つの胴回り開口ＷＯ及び１対の脚回り開口ＬＯを備える、本発明の実施形態の使い捨てオムツ１を示す平面図である。本実施形態の使い捨てオムツ１は、いわゆるパンツ型のオムツである。このオムツ１は、図に示される前胴回り外装シート１０Ｆ及び吸収要素１３と、前胴回り外装シート１０Ｆの背面に存在する後胴回り外装シート１０Ｒと、前胴回り外装シート１０Ｆ及び後胴回り外装シート１０Ｒの下方縁部から延出して脚回り開口ＬＯを形成する下方延出脚部５とから構成されている。また、前胴回り外装シート１０Ｆ及び後胴回り外装シート１０Ｒは、これらの側縁部１０Ｓにおいて接合されている。下方延出脚部５もこれらの側縁部５Ｓにおいて接合されている。
【００２２】
図２は図１のオムツ１の展開時の平面図を示す。なお、図２において矢印で示されている方向Ｌはオムツ１の縦方向を、方向Ｔは縦方向に直交する横断方向をそれぞれ示している。
【００２３】
図２では、前胴回り外装シート１０Ｆと後胴回り外装シート１０Ｒとが互いに縦方向に離間している。さらに、図２では前側領域ＦＡ及び後側領域ＲＡが縦方向に離間しており、これらの間に股領域ＣＡが存在する。前胴回り外装シート１０Ｆは前側領域ＦＡにおいて矩形をなしており、後胴回り外装シート１０Ｒは後側領域ＲＡにおいて矩形をなしている。しかしながら、前胴回り外装シート１０Ｆ及び後胴回り外装シート１０Ｒは、股領域ＣＡの一部にわたって拡がるものでもよいし、前側領域ＦＡから股領域ＣＡを通って後側領域ＲＡまで延びる一体の外装シートでもよい。この場合は、外装シートは通常、股領域ＣＡにおいて、横断方向の幅が前側領域ＦＡ及び後側領域ＲＡよりも狭くなっている部分を有する。本実施形態のオムツ１はさらに、これら前胴回り外装シート１０Ｆと後胴回り外装シート１０Ｒとの間の横断方向の中間位置に前側領域ＦＡから股領域ＣＡを通って後側領域ＲＡに延びる、尿などの体液を吸収するための矩形形状の吸収要素１３を備える。吸収要素１３は着用者側の表面とその反対側の裏面を有し、本図では、この吸収要素１３の表面が示されている。
【００２４】
また、本実施形態のオムツ１は、縦方向に沿って延びる液不透過性の防漏壁１５を具備する。この防漏壁１５により、体液がオムツ１内に放出されたときに、体液がオムツの外部に漏れ出ることを防止する働きをする。
【００２５】
また本実施形態では、防漏壁１５の縦方向端部１５Ｅは、前胴回り外装シート１０Ｆ及び後胴回り外装シート１０Ｒに位置するこれらの伸縮部分１０ＦＥ，１０ＲＥと重なるように配置されている。このように配置することで、オムツ１の着用時に防漏壁１５を横断方向の外側に引っ張ることができ、防漏壁１５同士の間隔を拡げることができる。しかしながら、防漏壁１５の縦方向端部１５Ｅは、これらの伸縮部分１０ＦＥ，１０ＲＥと重ならないように配置してもよい。なお、本発明において、「防漏壁の内面」とは、防漏壁１５が吸収要素１３の表面から離れる方向に起立した状態にある防漏壁１５の吸収要素１３を向いている側の、横断方向の内側に面する面のことをいい、「防漏壁の外面」とはその反対側の、横断方向の外側に面する面のことをいう。
【００２６】
また、伸縮部分１０ＦＥ，１０ＲＥは、本実施形態では従来のオムツと同様に、前胴回り外装シート１０Ｆ及び後胴回り外装シート１０Ｒに横断方向に延びる胴回り弾性部材１１Ｇを伸長状態で取り付けた部分である。しかしながら、伸縮部分１０ＦＥ，１０ＲＥは、前胴回り外装シート１０Ｆ及び後胴回り外装シート１０Ｒに伸縮性のシートを配置した部分であってもよい。
【００２７】
さらに、本実施形態の使い捨てオムツ１は、吸収要素１３及びそれぞれの防漏壁１５の両側に配置された、伸縮性を有する１対の脚回りシート１９を具備する。しかしながら、脚回りシート１９は必ずしも収縮性を有する必要はなく、伸長性を有していればよい。
【００２８】
本実施形態では、各脚回りシート１９の縦方向端部はそれぞれ、前胴回り外装シート１０Ｆ及び後胴回りシート１０Ｒの縦方向の内側の端部である縦方向内縁部２０と横断方向に沿って全体的に接合されている。さらに、各脚回りシート１９の横断方向の内側の端部は、その脚回りシート１９に隣接する方の防漏壁１５の外面に縦方向に沿って接合されている。しかしながら、本発明では、脚回りシート１９は防漏壁１５の内面に接合されてもよい。また、各脚回りシート１９は、その横断方向の外側の端部に、脚回り開口ＬＯを形成する脚回り開口形成部２１を有している。
【００２９】
本発明では、脚回りシート１９は、前胴回り外装シート１０Ｆ及び後胴回りシート１０Ｒ、すなわち前側領域ＦＡ及び後側領域ＲＡの縦方向の内側の端領域に位置する縦方向内縁部２０と、防漏壁１５とに非伸長状態で接合される。なお、シートの「非伸長状態」とは、脚回りシート１９を接合するときの伸長率が１．０〜１．２倍である状態をいうものとする。脚回りシート１９の伸長率が１．２倍よりも低いことにより、脚回りシート１９に接合される構成要素を実質的に収縮させることができないので、このような状態を非伸長状態と定義する。この伸長率であれば、本発明の課題である、オムツの着用時の脚の通しづらさを避けることができる。また、本発明では逆に、伸長率が１．２倍以上の状態をシートの「伸長状態」というものとする。
【００３０】
ここで、シートの「伸長率」は次のようにして求められる。シートの伸長率は、縦方向と横断方向との両方についてそれぞれ測定される。まず、測定方向に一定の長さを有する、測定したいシート材が配されているサンプルを対象のオムツから切り出す。サンプルは、測定したい対象の弾性要素以外の弾性要素があらかじめ取り除かれたものでなければならない。本実施形態において脚回りシート１９の伸長率を測定する場合、脚回りシート１９のサンプルとしては、横断方向の測定サンプルとして、縦方向内縁部２０との接合部分を、縦方向の測定サンプルとして、防漏壁１５との接合部分を採用するのが好ましい。次いで、サンプルを相対湿度６０％±５％の雰囲気下に２４時間放置した後（つまり、サンプルを自然状態にした後）、サンプルを平坦な面上に置き、測定方向に張力を可能な限り付与しない状態で、サンプルに長さＡ（ｍｍ）（例えば５０ｍｍ）の線分を描く。（この線分は可能な限り長い線分とするのが好ましい。測定誤差を小さくすることができるからである。）次いで、サンプルを構成するシートが破壊しない程度に最大にサンプルを測定方向に伸長させたときの線分の長さＢ（ｍｍ）を測定する。最後に、次式を用いて伸長率が算出される。
【００３１】
伸長率＝Ｂ／Ａ
【００３２】
また、このような脚回りシート１９が、皺が形成されていない状態で取り付けられていると好ましい。着用者の大腿部と各脚回りシートとの間に空間ができず、体液の漏れを防止するからである。
【００３３】
なお、「皺が形成されていない」とは、シートの皺の高さが０．５ｍｍ以下であることを指す。ここで「皺」とは弾性要素によりシートが収縮することによりに形成された凹凸のことをいう。さらに、皺の高さは、尾崎製作所社製、ダイヤルシックネスゲージを用いて測定される。この場合、直径１０ｍｍの測定端子が用いられ、測定されるべき対象のシートに２．８ｇｆ／ｃｍ２の荷重が印加される。皺の高さを測定するには、まず対象のシートの伸長率を上述の方法で測定する。次いで、対象のシートを相対湿度６０％±５％の雰囲気下に２４時間放置した後（つまり、サンプルを自然状態にした後）、測定対象部位の厚さＡ（ｍｍ）をシックネスゲージにより測定する。さらにそのシートを、自然状態における長さから伸長率分だけ弾性要素による収縮方向に沿って伸長させた後に、前述の測定と同様に厚さＢ（ｍｍ）を測定する。なお、シートの皺の高さは、測定対象のシートの１０ｍｍごとに測定され、これら測定値の平均値が脚回りシートの皺の高さとして算出される。
【００３４】
図３は、図２のＩＩＩ−ＩＩＩ線に沿った、本実施形態のオムツの展開時の断面図である。図３及びこの図以降の断面図では、防漏壁１５が角をなして曲げられているが、この態様は説明を簡略化するためのものであって実際のものとは異なっており、実際には特に言及しない限り角を成さず連続的に変形しているものであるか、折り曲げられているものであることに留意されたい。
【００３５】
吸収要素１３は、その例として本実施形態では、その表側のトップシート１３Ｔとその裏面の液不透過性のバックシート１３Ｂと、これらトップシート１３Ｔとバックシート１３Ｂとの間に保持された吸収体１３Ｃとによって構成されおり、さらに、吸収体１３Ｃは、吸液性コアをコアラップシートで包んだものとなっている。コアラップシートは、吸液性コアの保形性及び液拡散性の向上のために吸液性コアを被覆するシートである。なお、トップシートとコアラップシートとは、別々としてもよいし、１枚のシートとしてコアラップシートを省略してもよい。
【００３６】
本実施形態では、吸収要素１３の両側において吸収要素１３の裏面の側縁部から延出して横断方向の内側に向かって折り曲げられている１対の防漏壁１５は、防漏シート１４及び防漏フィルム１６を重ねた防漏複合シート２３から構成され、これら防漏シート１４及び防漏フィルム１６が重なる部分の少なくとも一部が接合されている。防漏複合シート２３の断面形状は略Ｃ字形状になっている。防漏壁１５は、吸収要素１３の側縁部の位置に相当する固定端１５ＳＳと、固定端１５ＳＳから延びて終端する箇所に相当する自由端１５ＦＦを有し、この断面図では、固定端１５ＳＳから自由端１５ＦＦまで延びる、左右１対のものである。本実施形態では、各防漏壁１５の自由端１５ＦＦと防漏複合シート２３の先端２３ＦＦが一致するものとなっている。本図では、脚回りシート１９が、防漏壁１５と、一例としてホットメルト接着剤Ａによって接合されているのが示されている。また、吸収要素１３は、防漏複合シート２３の防漏フィルム１６に接合されている。
【００３７】
さらに、本実施形態では、前側領域ＦＡ及び後側領域ＲＡにおいて、前述のように横断方向の内側に向かって折り曲げられている防漏壁１５の折り曲げ部分同士の間に位置する防漏シート１４の部分が、前胴回り外装シート１０Ｆ及び後胴回り外装シート１０Ｒと接合している。このようにすることで、オムツ１の縦方向の内側の領域においても防漏壁１５同士を離間させることができる。しかしながら、防漏シート１４が、防漏壁１５を構成するように、前胴回り外装シート１０Ｆ及び後胴回り外装シート１０Ｒに接合されていればよい。
【００３８】
また、各防漏壁１５は、その自由端１５ＦＦを含む自由端部１５Ｆに、防漏壁の長手方向に沿って延びる、伸長状態で取り付けられた弾性部材である自由端部弾性部材３１を具備する。なお、本実施形態では、自由端部弾性部材３１には、弾性部材貼り合わせ倍率（＝（防漏壁等のシートに貼り合わせるときの伸長状態にある弾性材料の長さ）÷（弾性材料の収縮状態長さ））が２．７倍に設定された４７０ＤＴＥＸの糸ゴムをそれぞれの自由端部につき２本使用している。これらの自由端部弾性部材３１により、防漏壁１５を起立させることができる。
【００３９】
本実施形態では、防漏壁１５と脚回りシート１９との接合部分は、固定端１５ＳＳと自由端１５ＦＦとの間の中間部分にある。しかしながら、この接合部分は自由端部１５Ｆと重なっていてもよい。しかしこの接合部が自由端部１５Ｆと重なる場合は、防漏壁１５と脚回りシート１９との接合部分は、自由端弾性部材３１が含む弾性部材３１Ａ，３１Ｂのうちの防漏複合シート２３の先端２３ＦＦに最も近い弾性部材３１Ａに重なると好ましくない。なお、自由端部弾性部材３１が１本のみの弾性部材を含む場合は、この弾性部材にこの接合部分が重ならないのが好ましい。防漏複合シート２３の先端２３ＦＦに最も近い弾性部材３１Ａは、防漏壁を起立させるのに最も貢献する弾性部材であり、脚回りシート１９をこの弾性部材３１Ａに接合させるとその作用を阻害されるからである。
【００４０】
なお、本発明では、本実施形態において前胴回り外装シート１０Ｆ及び後胴回り外装シート１０Ｒから構成される外装シート１０は、疎水性又は不透液性を有する公知の各種の不織布から構成され、例えば、目付約１０〜４０ｇ／ｍ２の範囲にある、スパンボンド不織布、ポイントボンド不織布、ＳＭＳ不織布、不透液性のプラスチックフィルム、それらのラミネートなどから形成できる。
【００４１】
トップシート１３Ｔには、透液性を有する各種の繊維不織布、例えば、目付約１５〜４５ｇ／ｍ２のエアスルー繊維不織布、スパンボンド不織布、ＳＭＳ（スパンボンド・メルトブロン・スパンボンド）不織布等を用いることができる。
【００４２】
吸収コアは、超吸収性ポリマー粒子（ＳＡＰ）とフラッフパルプもしくは熱可塑性合成繊維（ステープルファイバー）とを混合して所定の形状に形成されているものである。または熱可塑性剛性繊維にポリマー粒子を散布したものや、コアラップシート上にポリマー粒子を散布し接着剤にて固定したもの等の、各種公知の吸収コアを用いる事ができる。
【００４３】
コアラップシートには、少なくともその肌面側の一部は透液性を有する各種の繊維不織布もしくはティッシュシートを用い、例えば、目付約１０〜３０ｇ／ｍ２のエアスルー繊維不織布、スパンボンド不織布、ＳＭＳ不織布、１０〜３０ｇ／ｍ２のティッシュシートを用いることができる。
【００４４】
防漏シート１４は、疎水性又は不透液性を有する公知の各種の繊維不織布であって、例えば、目付約１０〜４０ｇ／ｍ2の範囲にある、スパンボンド不織布、ポイントボンド不織布、ＳＭＳ（スパンボンド・メルトブローン・スパンボンド）不織布、不透液性のプラスチックフィルム、それらのラミネートなどから構成できる。
【００４５】
吸収要素のバックシート１３Ｂ及び防漏フィルム１６は、防漏性（液不透過性）プラスチックフィルム、又は難透液性繊維不織布、それらのラミネート等から形成することができ、例えば、主にはプラスチックフィルムや、不織布とプラスチックフィルムのラミネートなどから形成できる。
【００４６】
脚回りシート１９は伸長性シート又は伸縮性シートから構成できる。伸長性シートとして、例えば、ポリエチレン、ポリプロピレン等の熱可塑性樹脂フィルムを用いることができる。あるいは、熱可塑性樹脂フィルムに、部分的に切断され又は脆弱化された非伸長性不織布を貼り合わせた複合シートから構成することもできる。一方、伸縮性シートとして、例えば、ウレタン、スチレンのような熱可塑性エラストマ樹脂を溶融した伸縮繊維からなる不織布、伸縮繊維からなる不織布に、部分的に切断され又は脆弱化された非伸長性不織布を貼り合わせた複合シートから構成することもできる。
【００４７】
図４を参照して、本実施形態のオムツ１の作用を示す。脚回りシート１９は、非伸長状態で取り付けられているので、脚回りシート１９が収縮することにより脚回り開口ＬＯが横方向外向き側を向くことなく、接合部分から重力の影響を受けて鉛直方向下向きに垂れ下がることになる。さらに、着用者がオムツ１を履く過程において、防漏壁１５が自由端部１５Ｆに伸長状態で自由端部弾性部材３１が取り付けられていることによって起立する作用により、防漏壁１５に接合する脚回りシート１９部分が持ち上げられ、非伸長状態で取り付けられたことによって防漏壁１５との接合部分から垂れ下がる脚回りシート１９の部分がオムツの内側方向に引き寄せられることになる。したがって、脚回りシート１９に相当する下方延出脚部５は、オムツを着用しようとするときには鉛直方向下方を向くことになる。以上により、従来のオムツでは、着用者の脚部を通す向きが鉛直方向下向きから横方向外向きに傾いていたものが、本発明のオムツ１では鉛直方向下向きを向くことになる。
【００４８】
なお、図４において、上述した「防漏壁の内面」は参照番号１５ＩＮで示される面であり、「防漏壁の外面」は参照番号１５ＥＸで示される面である。
【００４９】
また、上述のように脚回りシート１９を非伸長状態で取り付けた場合においても、着用者が着用するときに脚回りシート１９が着用者の大腿部に密着することにより脚回りシート１９を伸長させるので、各脚回りシート１９が横方向外側に引っ張られて、防漏壁１５を起立させると共に防漏壁１５同士を離間させることが可能となる。さらには、このようなオムツ１を履いた後では、脚回りシート１９が非伸長状態から伸長状態になるため、脚回りシート１９の皺がほぼ形成されていない又は皺が形成されていない状態で着用されることとなり、脚回りシート１９自体によるオムツ１の防漏性も高まることになる。
【００５０】
また、脚回り開口ＬＯがオムツの前側において着用者の鼠径部におおよそ沿う従来のパンツ型のオムツも知られている。鼠径部は人体の構造上凹部となっていて隣接する着用者の体の部位と高低差を有していることから、脚回り開口ＬＯが鼠径部のラインに沿わない場合は、脚回り開口ＬＯと着用者との間に間隙ができてしまい、ひいてはその間隙から防漏壁１５を越え出てきた体液が漏れ出るおそれがあった。本発明のオムツ１は、着用者の太腿部に位置することになる下方延出脚部５の存在により、脚回り開口ＬＯが鼠径部に沿うのではなく太腿部に沿うことになり、大腿部には鼠径部のような大きな高低差がないために、体液が漏れ出るのを避けることができるので有利である。
【００５１】
（使い捨てオムツの変形例）
これより、使い捨てオムツの変形例について、実施形態のオムツ１の断面図に基づいて説明する。
【００５２】
図５は、使い捨てオムツ１の変形例を示すものであり、図３に類似する断面図を示す。この変形例では、さらに前側領域ＦＡから股領域ＣＡを通過して後側領域ＲＡにわたって縦方向に延びる１対の股下弾性部材３３が、吸収要素１３が含む吸収体１３Ｃの両側縁部近傍において防漏複合シート２３に取り付けられている。この変形例では、１対の股下弾性部材３３は前側領域ＦＡから股領域ＣＡを通過して後側領域ＲＡにわたって延びているが、股領域ＣＡのみで延びてもよいし、前側領域ＦＡと股領域ＣＡとにわたって延びてもよいし、後側領域ＲＡと股領域ＣＡとにわたって延びてもよい。なお、本実施形態では、股下弾性部材３３は、弾性部材貼り合わせ倍率が２．４倍に設定された７８０ＤＴＥＸの糸ゴムをそれぞれの股下弾性部材３３につき１本使用している。
【００５３】
従来のオムツでは、特に吸収体１３Ｃが体液を吸収して重量を増したときに、吸収要素１３がその重量によって着用者の股下部分から垂れ下がり、ひいては防漏壁１５の自由端部が着用者から離れての腿や股下部分に密着しなくなり、結果として、体液がオムツ１から漏れ出るおそれがあった。この股下弾性部材３３は、その収縮する力によって吸収要素１３の垂れ下がりを抑制するという利点をもたらし、上述のような体液の漏れを防ぐことができる。さらに、この股下弾性部材３３は、防漏壁１５の固定端１５ＳＳ近傍にある防漏複合シート２３部分を持ち上げるので、防漏壁１５の起立する作用がより顕著となることにより、脚回りシート１９が鉛直方向下向きにより確実に向き易くなる。
【００５４】
本変形例では、股下弾性部材３３が防漏複合シート２３に取り付けられている。しかしながら、上述の目的を達成するためには、股下弾性部材３３は、吸収要素１３の表面よりも裏面に近い位置であって、最大幅を有する吸収体の側部から横断方向の外側又は横断方向の内側に１０ｍｍ以内の位置に配置されていればよい。吸収要素１３の垂れ下がりを抑えるべく吸収要素１３に着用者に向かって力を発生させるという目的のために、股下弾性部材３３は、吸収要素１３の表面よりも裏面に近い位置にあるべきである。加えて、この力を吸収体１３Ｃに十分に伝達させるためには、吸収体の側部から横断方向の外側又は横断方向の内側に１０ｍｍ以内の位置に配置されるべきである。１０ｍｍよりも横断方向の外側であれば、股下弾性部材３３同士の間に位置する吸収体１３Ｃの重量によって吸収要素１３が垂れ下がり、１０ｍｍよりも横断方向の内側であれば、吸収体１３Ｃの側縁部が垂れ下がってしまうからである。
【００５５】
また、本変形例のように、股下弾性部材３３を取り付けた使い捨てオムツの部分、すなわち本変形例では防漏複合シート２３の縦方向の収縮率が、自由端部弾性部材３１を取り付けた防漏壁の自由端部１５Ｆの縦方向の収縮率以下であると好ましい。所望の形状のポケットを形成することができるからである。
【００５６】
ここで、部分の「収縮率」は次のようにして求められる。この場合、対象部分の収縮率は縦方向について測定される。まず、測定方向に一定の長さを有する、測定したい部分が配されているサンプルを対象のオムツから切り出す。サンプルは、測定したい対象の弾性要素以外の弾性要素があらかじめ取り除かれたものでなければならない。本変形例では、縦方向に一定の長さを有する、自由端部弾性部材３１を含む防漏壁１５の部分と、股下弾性部材３３を含む防漏複合シート２３の部分とをサンプルとして採用するのが好ましい。次いで、サンプルを構成するシートが破壊しない程度に最大にサンプルを伸長させて、サンプルに長さＸ（ｍｍ）（例えば５０ｍｍ）の線分を描く。（この線分は可能な限り長い線分とするのが好ましい。測定誤差を小さくすることができるからである。）次いで、サンプルを相対湿度６０％±５％の雰囲気下に２４時間放置した後（つまり、サンプルを自然状態にした後）、サンプルを平坦な面上に置き、測定方向に張力を可能な限り付与しない状態で、線分の長さＹ（ｍｍ）を測定する。最後に、次式を用いて収縮率が算出される。
【００５７】
収縮率＝（Ｘ−Ｙ）／Ｘ
【００５８】
なお上述では、収縮率は測定したい部分が配されている、切り出されたサンプルから求められたが、サンプルを切り出さないで測定ができるならば、オムツの状態のまま収縮率を測定してもよい。
【００５９】
図６は、使い捨てオムツ１のさらなる変形例を示す、図５に類似する断面図である。この変形例では、防漏壁１５がさらに、自由端部弾性部材と固定端との間に位置する中間部分に伸長状態で取り付けられた、防漏壁１５の長手方向に沿って延びる弾性部材である中間位置弾性部材３５をそれぞれ含む。なお、この変形例では、中間位置弾性部材３５は、弾性部材貼り合わせ倍率が２．３倍に設定された４７０ＤＴＥＸの糸ゴムを、図６に示されているようにそれぞれの中間位置弾性部材３５につき２本ずつ使用している。
【００６０】
中間位置弾性部材３５は、自由端部弾性部材３１と同様の働きをし、中間位置弾性部材３５が取り付けられている防漏壁１５の部分を吸収要素１３から離間させることができ、ひいては防漏壁１５を起立させることができる。これにより、防漏壁１５と脚回りシート１９との接合部分が持ち上げられ防漏壁１５との接合部分から垂れ下がる脚回りシート１９の部分がオムツの内側方向に引き寄せられ、ひいては脚回りシート１９に相当する下方延出脚部５は、オムツを着用しようとするときには鉛直方向下方を向くことになる。
【００６１】
さらに、この変形例では、脚回りシート１９と防漏壁１５との接合部分が、中間位置弾性部材３５に重なるように配置されている。上述の効果をより直接的に発揮するためである。
【００６２】
この変形例のオムツには、股下弾性部材３３が取り付けられているが、これらが取り付けられていない態様のオムツでもよい。
【００６３】
図７は、使い捨てオムツ１のさらなる変形例を示す、図６に類似する図である。この変形例における防漏壁１５はさらに、防漏壁１５の自由端部弾性部材３１と固定端１５ＳＳとの間に位置する中間部分である防漏壁折り曲げ部３７において、防漏壁１５の長手方向に延びる防漏壁折り曲げ線に沿って横断方向外向きに防漏壁１５を折り返して、互いに重なり合う防漏壁部分を防漏壁の縦方向端部１５Ｅにおいて、この変形例ではホットメルト接着材で接合している（図示しない）。この態様により、この場合は、防漏壁１５の自由端１５ＦＦと防漏複合シート２３の先端２３ＦＦは一致しないものとなっている。なお、この変形例の場合では、防漏壁の縦方向端部１５Ｅは、上述の折り曲げがなされた上で、前胴回り外装シート１０ＦＡ及び後胴回り外装シート１０ＲＡと接合している点に留意されたい。
【００６４】
この変形例の構成により、防漏複合シート２３の先端２３ＦＦが横断方向の外側を向くので、防漏壁１５同士が近接することを防ぐことができる。体液を吸収要素１３に導くことを容易にし、体液の漏れを防ぐことができるので、このような態様は好適である。
【００６５】
この変形例のオムツには、股下弾性部材３３及び中間位置弾性部材３５が取り付けられているが、これらの両方又は一方が取り付けられていない態様のオムツでもよい。
【００６６】
図８は、使い捨てオムツ１のさらなる変形例を示す、図５に類似する断面図である。この変形例では図７の変形例と同様に、防漏壁１５が防漏壁の自由端部弾性部材３１と固定端１５ＳＳとの間に位置する中間部分である防漏壁折り曲げ部３７において、防漏壁１５の長手方向に延びる防漏壁折り曲げ線に沿って横断方向外向きに防漏壁１５を折り返して、互いに重なり合う防漏壁部分を防漏壁の縦方向端部１５Ｅにおいて、この変形例ではホットメルト接着材で接合している（図示しない）。したがって、この変形例においても、防漏壁１５の自由端１５ＦＦと防漏複合シート２３の先端２３ＦＦは一致しないものとなっている。
【００６７】
また、本変形例では、防漏壁１５と脚回りシート１９との接合部分は防漏壁１５の自由端部１５上にある。このような場合においても、自由端部弾性部材３１が含む弾性部材３１Ａ，３１Ｂ，３１Ｃのうちの、防漏複合シート２３の先端２３ＦＦに最も近い弾性部材３１Ａに防漏壁１５と脚回りシート１９との接合部分が重ならないのが好ましい。防漏複合シート２３の先端２３ＦＦに最も近い弾性部材３１Ａは、防漏壁を起立させるのに最も貢献する弾性部材であり、脚回りシート１９をこの弾性部材３１Ａに接合させるとその作用を阻害されるからである。
【００６８】
本変形例では、自由端部弾性部材３１には、弾性部材貼り合わせ倍率が２．７倍に設定された４７０ＤＴＥＸの糸ゴムをそれぞれの自由端部につき３本、図７の変形例よりも互いの間隔を空けて使用している。この変形例のような態様の使い捨てオムツ１でも、本発明の目的を達成できる。
【００６９】
なお、この変形例のオムツには、股下弾性部材３３が取り付けられているが、これが取り付けられていない態様のオムツでもよい。
【００７０】
図９は、使い捨てオムツ１のさらなる変形例を示す、図７に類似する断面図である。図７からさらに、本変形例の防漏壁１５はそれぞれ、外側防漏壁１５Ｏと内側防漏壁１５Ｉとを含む。さらに、本変形例の防漏壁１５では、防漏壁１５の自由端１５ＦＦと中間位置弾性部材３５との間に位置する第一接合箇所１５Ａが、防漏壁の固定端１５ＳＳと中間位置弾性部材３５との間に位置する第二接合箇所１５Ｂと接合する。外側防漏壁１５Ｏは、第一接合箇所１５Ａと第二接合箇所１５Ｂとの間を延びる防漏壁１５の部分であり、内側防漏壁１５Ｉは、第一接合箇所１５Ａと防漏壁の自由端１５ＦＦとの間を延びる防漏壁１５の部分である。
【００７１】
本変形例の場合、外側防漏壁１５Ｏにおいては、中間位置弾性部材３５が自由端部弾性部材３１と同様の働きをして、外側防漏壁部分１５Ｏを起立させる。この作用により、この変形例では、防漏壁１５と脚回りシート１９との接合部分が、中間位置弾性部材３５に重なるように配置されている。この変形例のような態様の使い捨てオムツ１でも同様に、本発明の目的を達成できる。
【００７２】
なお、この変形例のオムツには、股下弾性部材３３が取り付けられているが、これが取り付けられていない態様のオムツでもよいし、防漏壁１５が防漏壁折り曲げ部３７において折り曲げられていなくともよい。また、股下弾性部材３３が取り付けられておらず、さらに防漏壁１５が防漏壁折り曲げ部３７において折り曲げられていない態様でもよい。また、外側防漏壁１５Ｏ及び内側防漏壁１５Ｉはそれぞれ、別個の防漏複合シート２３から構成されてもよい。
【００７３】
本発明では、各弾性部材には様々な繊度、貼り合わせ倍率、本数の糸ゴムを使用している。しかしながら、各弾性部材はこれまでに示された弾性部材貼り合わせ倍率、繊度及び素材に制限されるものではなく、必要に応じて自由に設定することができるものとする。弾性部材の素材には、ポリウレタン弾性繊維からなる糸状ゴムや、天然ゴムから構成されるゴムもしくはポリウレタン系繊維からなる弾性シート等を用いる事ができ、弾性部材を伸長状態で取り付けたシートをその伸長方向に沿って伸長、収縮を繰り返す事が可能となる。
【００７４】
また、本発明の実施形態では、構成要素同士の接合にホットメルト接着剤Ａを使用しているが、これに制限されるものではなく、ヒートシールやソニックシール等の熱による溶着手段を使用してもよい。
【００７５】
なお、本明細書、図面及び特許請求の範囲から当業者によって理解されることのできるような全ての特徴は、これらの特徴が特定の他の特徴に関連してのみ組み合わされて説明されたとしても、それらの特徴が明確に除外されない限り、又は技術的な態様が不可能な若しくは意味のない組み合わせにならない限りにおいて、独立して、またさらに、ここで開示された他の特徴又は特徴の複数の群と任意に組み合わせて、結合されることができるものとする。
【符号の説明】
【００７６】
１    使い捨てオムツ
１０Ｆ    前胴回り外装シート
１０Ｒ    後胴回り外装シート
１３    吸収要素
１５    防漏壁
１５Ｆ    自由端部
１５ＦＦ    自由端
１５ＳＳ    固定端
１９    脚回りシート
３１    自由端部弾性部材
ＦＡ    前側領域
ＣＡ    股領域
ＲＡ    後側領域
【図１】
0005717660.tif 000002
【図２】
0005717660.tif 000003
【図３】
0005717660.tif 000004
【図４】
0005717660.tif 000005
【図５】
0005717660.tif 000006
【図６】
0005717660.tif 000007
【図７】
0005717660.tif 000008
【図８】
0005717660.tif 000009
【図９】
0005717660.tif 000010